【手続補正書】
【提出日】平成21年10月14日(2009.10.14)
【手続補正１】
【補正対象書類名】明細書
【補正対象項目名】全文
【補正方法】変更
【補正の内容】
【発明の詳細な説明】
【発明の名称】●ゴキ地獄（Ｔ．６５５）●ハエ地獄（Ｔ．６５６）●カミキリ地獄（Ｔ．６５７）●白アリ地獄（Ｔ．６５８）●トラップコーナー（Ｔ．６５９）
【技術分野】
【０００１】現在消費者が購入して、すぐにゴミとなるが、販売、生産者側でも大金を投じ、処理しなければならず、その上、紙資源になりずらく、大量のゴミとなるこれら食品容器等をして、一日十万個づつ以上売れ、排出生産され続けるラインの中に在るこれら食品容器の内側に小さな虫取り升一つ付けるだけで、人類に害を成し、人類の生存率の十万倍以上の勢いで増えて生存する害虫の多くを（無料、Ｏ単価の元に）激滅させる事の出来る威力が技術力が本発明品に生じた。
【背景技術】
【０００２】●Ｔ．４２０●Ｔ．５５０●Ｔ．６７０●Ｔ．１２０●Ｔ．１５０
【発明の開示】
【発明の解決しようとする課題】
【０００３】筆者は、曾てブルジョアジーの（巨大な資本を持ち、企業利益、利子だけで生活できる一握りの人々の居る）世界に居た頃の事であった。――何もかもが自由であったが、不自由であった。――学生時代に学んだ哲学「最も自由な時に不自由有りし、最も不自由な時に自由有りし。」が思い出されていた。――筆者は、後先を考えずに、この世界を飛び出していた。筆者は世捨人になろうとしていたのだった。
【０００４】――しかし併、俗に言う「世捨て人」とは、やはり巨大な資本金を持っている者でないと、なれる者の、身分ではなかった。自らが世を捨てても、必ず世の中の方が追いかけて来たからであった。
【０００５】フッと見ると、杜の松林の木の多くが枯れ、イチジクの木等も枯れているのに気が付き、その原因を求め、調査しだしていた。原因はカミキリ虫である事がすぐに分った。然に。世の中には、世の為（果樹園）人の為になる益虫と、害を成す害虫がある事が分ったが、（木は心理学で、人の躰、国家さへ表わす。創世記４０章９〜１３節）
【課題を解決する手段】
【０００６】時に、人間の住む世界に多くの昆虫、ゴキブリ、白蟻、蚊、蠅等他も侵入して来た。益にならない者達であった。筆者は、金をかけずに之等の大量抹殺を決意した。
【発明の効果】
【０００７】筆者は、気が付くと、アレ程まじめだった青少年の頃の素形が無く、発明家として、自由気ままに過ごす飲べェとなっている中今だ手先の器用さが残っていたので、酒を飲みながら、空になった酒の紙容器を本発明図に示す様にハサミで切り開いて、中にやはり、紙で使った四角升をほぼ中央部に張り付け、四角升の中には、鮭鰹フリカケが理想とされる餌を仕掛け、升の外には、ウッスラと中性洗剤を流し込んでみた。
【発明を実施する最良の形態】
【０００８】すると、酒や食品の匂いにつられ、数多くのゴキブリがブリッヂを渡って入り込んで来る物となり、空箱容器の底に張られた中性洗剤がゴキブリの躰に一滴でも附着したが最後、ゴキブリの羽は、使い物にならなくなり、呼吸さへ出来なくなって即死する他、
【実施例】
【０００９】匂の強い酒、調理油、醤油等を入れた空容器を使用しても効力効果は大きく、四角升の中に砂糖を入れ2009284895.tif 000001
殺する事が出来た際、之は、この中に落ち込んだ蟻の足に中性洗済が付いて滑って、入ったが最後出られなくなったからである。（Ｔ．６５８）
【産業上利用の可能性】
【００１０】同じ様に、夏期繁殖中にある、カミキリ虫等は、強靭なアゴで、イチジク、栗の木、松、他多くの大切な果樹園、森林木にある木の幹に穴を開け、そこに伝染性の強いマツノザイセン虫他、寄生虫を殖え込んでゆく際に、この時期、期節に合わせて、夏休みのコドモ、学生のボランティア力を募り、本発明品の升の中に（黒）蜜を入れて、これら害虫の来て欲しくない場所に之を釘で打ち付けて置くと、この地区に発生すするカミキリ虫を始めとする害虫は全滅してしまう為（Ｔ．６５７）
【００１１】異常気象時の折りもあって、昆虫の異常繁殖時、松枯れ等の多い地区に重点的に本発明品を設置した場合、多大な金員をかけ、ヘリコプターを飛ばし、人体に有害となる農薬を広域にまき散らし、関係の無い多くの昆虫まで巻き添えに殺さなくとも済む事になり、
【００１２】各家庭、厨房等に、本発明の升の中に入れる餌さへ変えて仕込ませれば、その用途に合わせた害虫のみ退治できる非常に安全であり、絶大な効力を持つ優れ物となったが、（Ｔ．６５５）これを産業界が理解した時、その利用性は極めて大きい物になった。
【図面の簡単な説明】
【００１３】
【図１】本発明図全体の一つ一つを立体図にしてかんがみる、食料品やトレー等の使い終えた物の中心部に、囮の害虫寄せ升を作り、害虫寄せのフリカケ等の餌を入れ、その囮升の外側に、中性洗済、若しくは、食料油を入れておくと、無料で作れる害虫取り器になる発明物を示し、不要時には、小さな植物入れやペットの食器、用器入れにする事が出来た事を示す図となった。
【符号の簡単な説明】
【００１４】１．元々、日本ソバ等を入れて販売される容器の中央部に四角若しくは円型等の升を作り、周囲にソバを配置して入れ、中央部には、ソバ汁を入れられる様にして作っておくと、空箱になった際には、本発明ゴキ地獄に転用される物となり、中央の升部には、フリカケを入れ、その周囲に食用油、若しくは、中性洗済を入れる事を示している  ２．中央の升の中に、フリカケを餌として入れる事を示しており、３．その周囲には中性洗済を入れる事を示している。４．フリカケを小さな袋詰めとし、付録品として添附しておく事が理想となる図。６．匂いの強い醤油、酒、食用油入れ容器が、７．空になった際之を横にし、上部位面を図の様にハサミで切り開き、８．ゴキブリが侵入し易い様に之を折り曲げ、９．よく折ってブリッジの端がちゃんと地に付いているのを確認できるまでにしておくと、１０．ゴキブリがブリッヂを登って、本発明品、ゴキ地獄の中に入って来る事を示す図。１１．釘を示しており、森林、林、杜、果樹園地（盆栽）之等の幹に本発明品をして、升の中に蜜を入れておくと、同じ原理で、特にブドウ、イチジク他、松の木を荒す、カミキリ虫がこの中に落ち込んで死ぬ為、これらの木々は守られるものとなった。但し、この場合、１２．ブリッヂにも蜜を塗って置くと、効果は倍増する物となった。１３．普通、コンビニ等で売られているプラスチック製の弁当箱等もこの様な型に出来る様が理想となる図であり、弁当の残り物を中央の升の中に入れ、周囲に中性洗済を簿く入れておくだけで、多くのゴキブリは、掴れる他、１４．カップラーメンの内側底部もこの様にして作って置くと、ゴキブリは、このカップ麺の残り汁程好む物はなく、多くのゴキブリを退治する事の出来る物になる事を示す図となった。１５．之を陶器、プラスチック等、他で作る場合には、別使用する際、猫の餌入れ、サボテン等、小さな植物入れに成る事を示す図となるが、１６．底部には、水抜き栓を付けると理想となった。１７．現在市場で市販されている飲料水（油、酒、牛乳等）入、他カップヤキソバ入れ空容器の底部に四角升を付け  １８．その真上にカッターナイフで四角窓を開けられる様にし、１９  その小窓から砂糖水等餌汁を空容器内にある升の中に垂らし込み、２０．呑み口から中性洗済を注み込み入れて、使用する場合、元々これらの容器の内側に付いている食品の匂いに誘われて、大量の蚊や蠅が中に入り込んで死滅する蠅取り器になる物となる為、草ムラ、各家庭の縁の下に設置した場合白蟻の駆除にさへ役立ち、養豚場、牛舎、養鶏場、犬舎他、蠅、蚊の多く集まる場所でも絶大な効力を発揮した。２１．害虫  ２２．拒絶色を配色すると、害虫、害鳥、害獣等が果樹園に近らなくなる効果が生じ、（青色には、サソリやヘビが近寄らなくなる効果が生じ、消費者が之を見る時には、購売意欲等もそそる物となった。（Ｔ．４２０、５５０、６７０参照）  ２３．虫取り升は最初から容器の内側に付けていられるのが理想となったが、２４．最食は食品容器の外側に外面テープで取り付けて、中につまみや、フリカケ、砂糖を入れて販売しても良いが、２５．これを取り外して、容器の内外に貼り付けられる事がアピールされる事も望ましかった。